(57)【要約】立体三次元効果ディスプレイデバイス（１）、特にデジタルスクリーンが（ａ）第一の画像を形成する第一群と第二の画像を形成する第二群との間で分配したピクセル（４ａ、４ｂ）のアレイ（３）と、（ｂ）スクリーンに平行でかつピクセルのアレイと観察者（８）との間に設置される、可視光を少なくとも部分的に吸収する面素（６、１６、２６）のアレイ（５）とを含み、前記面素が、その少なくとも一つの面に光起電力セル（７）を有し、これらの面素が、第一および第二の画像の出射角（α）を制限するように浮出た形で構成され、かつ所与の観察距離について、前記ディスプレイデバイス（１）のユーザ（８）の右目（９）が前記第一の画像しか見ず、その左目（１０）が前記第二の画像しか見ないように配置される。ピクセルの前記アレイの前に配置された浮出た形の光起電力セルから電流を生成することのできる三次元デジタルディスプレイスクリーン（１）が得られる。【選択図】図１
2014509404.tif 000002
【特許請求の範囲】
【請求項１】
立体三次元効果ディスプレイデバイス（１）であって、
（ａ）第一の画像を形成する第一のピクセル群（Ｐ１）と第二の画像を形成する第二のピクセル群（Ｐ２）との間で分配したピクセル（４ａ、４ｂ）のアレイ（３）と、
（ｂ）ディスプレイデバイス（１）に平行でかつピクセル（４ａ、４ｂ）のアレイ（３）と観察者（８）との間に設置される、可視光を少なくとも部分的に吸収する面素（６、１６、２６）のアレイ（５）と、
を含み、前記面素（６、１６、２６）が、その少なくとも一つの面に光起電力セル（７）を有していること、および、これらの面素が、前記第一の画像および前記第二の画像の出射角（α）を制限するように構成され、ならびに、所与の観察距離について前記ディスプレイデバイス（１）のユーザー（８）の右目（９）が前記第一の画像しか見ずその左目（１０）が前記第二の画像しか見ないように配置されていることによって、こうして前記ピクセル（４ａ、４ｂ）のアレイ（３）が表示する画像（一つまたは複数）の浮出しつまり三次元ビューに有利に作用するようになっていることを特徴とする、立体三次元効果ディスプレイデバイス。
【請求項２】
光起電力セル（７）を具備した面素（６、１６、２６）が、第一および第二の画像の出射角（α）をほぼ、数度〜３０°の角度に限定するように構成されていることを特徴とする、請求項１に記載のディスプレイデバイス（１）。
【請求項３】
ピクセル（４）のアレイ（３）の背後に設置された光源（２）を用いて背面照明されるピクセル（４）のアレイ（３）により構成される、スクリーン（１）の形を呈することを特徴とする、請求項１または２に記載のディスプレイデバイス（１）。
【請求項４】
電子発光ピクセル（４）のアレイ（３）により構成されるスクリーン（１）の形を呈することを特徴とする、請求項１または２に記載のディスプレイデバイス（１）。
【請求項５】
周辺光により照明されるピクセル（４）のアレイ（３）により構成される画像媒体（１）の形を呈することを特徴とする、請求項１または２に記載のディスプレイデバイス（１）。
【請求項６】
可視光を少なくとも部分的に吸収する前記面素（６、１６、２６）が不透明であることを特徴とする、請求項１〜５のいずれか一つに記載のディスプレイデバイス（１）。
【請求項７】
前記面素（６、１６、２６）が、ほぼ、平行六面体、円形、楕円形および／または少なくとも三つの辺を有する多角形の断面を有する薄板の形状を有することを特徴とする、請求項１〜６のいずれか一つに記載のディスプレイデバイス（１）。
【請求項８】
前記面素（６、１６、２６）は、それらの長さｘがスクリーン（１）に平行であり、それらの幅ｙがスクリーン（１）を横断する方向に、かつ好ましくはスクリーン（１）に垂直な方向に延在するように配置されていることを特徴とする、請求項１〜７のいずれか一つに記載のディスプレイデバイス（１）。
【請求項９】
前記面素（６、１６、２６）が平行なアレイを形成するように配置され、前記面素（６、１６、２６）の長さｘが互いに平行であることを特徴とする、請求項１〜８のいずれか一つに記載のディスプレイデバイス（１）。
【請求項１０】
前記光起電力セル（７）が、幅ｘと長さｚによって形成される面内で延在する前記面素（６、１６、２６）の表面に配置されていることを特徴とする、請求項１〜８のいずれか一つに記載のディスプレイデバイス（１）。
【請求項１１】
前記光起電力セル（７）が、非晶質シリコンまたは微結晶シリコンベース、ＣｄＴｅまたはＣＩＧＳベースの薄層セルであることを特徴とする、請求項１〜９のいずれか一つに記載のディスプレイデバイス（１）。
【請求項１２】
少なくとも一つの面に光起電力セル（７）を有する面素（６、１６）のアレイ（５）が、硬質または軟質の、連続または不連続の少なくとも一つの保護層を有することを特徴とする、請求項１〜１１のいずれか一つに記載のディスプレイデバイス（１）。
【請求項１３】
前記保護層が、好ましくは前記アレイ（５）上に被着される、外部表面に反射防止表面の備わったポリマーフィルムおよび／または光起電力セル（７）の少なくとも外部表面に被着される薄層であることを特徴とする、請求項１２に記載のディスプレイデバイス（１）。
【請求項１４】
好ましくは軟質または半硬質の透明なフィルムを備え、前記透明なフィルムが、その少なくとも一つの面に光起電力セル（７）を含む面素（６、１６）のアレイ（５）を備える、請求項１〜１３のいずれか一つに記載のディスプレイデバイス（１）の製造用の立体三次元効果光起電力フィルム。
【請求項１５】
前記光起電力セル（７）が連続または不連続の少なくとも一つの保護層によって保護されていることを特徴とする、請求項１４に記載の光起電力フィルム。
【請求項１６】
平滑な外部表面を有するディスプレイデバイス、特にデジタルスクリーンを準備し、請求項１２または１３に記載の立体三次元効果光起電力フィルムを準備し、前記光起電力フィルムを前記ディスプレイデバイスに好ましくは接着によって固定して、立体三次元効果ディスプレイデバイス（１）を形成する、請求項１〜１３のいずれか一つに記載のディスプレイデバイス（１）の製造方法。
【請求項１７】
請求項１〜１３のいずれか一つに記載のディスプレイデバイス（１）を組込んだポータブル式または固定式の電子機器。
【発明の詳細な説明】
【技術分野】
【０００１】
本発明は、フラットディスプレイデバイスの分野、そしてより詳細にはバックライト型（ｒｅｔｒｏ−ｅｃｌａｉｒｅ）ディスプレイスクリーンの分野に関する。背面照明される（ｒｅｔｒｏ−ｅｃｌａｉｒｅ）多数のピクセルを有するこのようなスクリーンは、かなり以前から公知であり、テレビ、コンピュータおよび小型ポータブルデバイス、例えば携帯電話、ゲームコンソールおよび計算機などにおいて使用されている。
【０００２】
ここで「背面照明された」ピクセルとは、背後から照明する光源の前に位置づけされたピクセル（例えば液晶ピクセル）を意味する。バックライト型スクリーンにおいて、散乱光源は、ピクセルの面の背後に配置されることにより、コントラストを改善する。
【背景技術】
【０００３】
ポータブルデバイスは、一般に、バッテリ電源を利用し、このバッテリの自律稼働時間は、利用快適性の重要な要因である。この自律稼働時間を延長する目的で、これらのポータブルデバイスの作動に必要な電流の一部分を生成する光電池が前記デバイス内に一体化された。前記ポータブルデバイスの外側表面に光電池を配置するために利用可能な空間が大幅に削減されているのであれば、ディスプレイスクリーン内に光電池を一体化することが望ましい。米国特許出願公開第２００７／０１０２０３５号明細書（Ｘ．Ｙａｎｇ）は、このような一体化の実施例を示している。しかしながら、これらの光電池は、それらが中に一体化されるスクリーンの明るさも画像形成特性も劣化させてはならず、この理由から、これらの光電池に利用可能な合計面積は、実際、非常に削減されている。したがって、光電池の幅は、二個のピクセル間の空間、すなわちスクリーンの解像度を改善するために最小限にすることが望まれる空間を、有意に上回ってはならない。
【０００４】
その上、視差バリアスクリーンと呼ばれることのある立体効果三次元ディスプレイスクリーンも公知である。これは、二つの画像を同時に表わすスクリーンであり、観察者が実際に知覚する画像は、前記スクリーンの表面との関係における観察者の位置によって左右される。一例を挙げると、観察者が知覚する画像は、観察者がスクリーンの前を横方向に移動する場合、またはスクリーンに接近するかまたはスクリーンから遠ざかる場合に変化し得る。一部のタイプの立体効果三次元スクリーンにおいては、この効果は、スクリーンによって表示される画像の浮出しでの知覚、さらには三次元での知覚でさえも可能にする。このようなデバイスについては、米国特許第７，６９７，１０５号明細書（Ｓｈａｒｐ）中に記載されている。このデバイスは、一定の観察距離の内部で、スクリーンにより表示される画像の三次元ビューを可能にする。この効果は、平行な不透明バンドアレイにより誘発される。しかしながら、これらのバンドはスクリーンの明るさを低減させる。この場合、光電池を追加することによってこのスクリーンの明るさおよび／または画像形成特性をさらに劣化させることは望ましくない。
【発明の概要】
【発明が解決しようとする課題】
【０００５】
この問題は、特にバックライト型スクリーンに適用されるもの、またさらに、光を直接発出するピクセル（例えば一つまたは複数の電子発光ダイオードで構成されたピクセル）を有するスクリーンにも適用される本発明によって解決される。さらに、本発明は同様に、スクリーンでないディスプレイデバイス、例えば紙に印刷された画像ピクセルなどのような、画像ピクセルが周辺光によって単に照明されるデバイスにも適用される。
【０００６】
しかしながら、本発明の重要な利用分野はスクリーンからなることから、以下の記載においては、異なる複数のタイプの画像媒体を、簡略化を期してスクリーンという用語により呼称するものとするが、このような簡略化が、本発明の範囲および他のタイプのディスプレイデバイスに対するその適用を限定することがあってはならない。
【課題を解決するための手段】
【０００７】
本発明によると、スクリーンの明るさおよび／または画像形成特性を劣化させることのない立体効果三次元（つまり３Ｄ）ディスプレイデジタルスクリーン内への光起電力セルの一体化は、立体効果三次元ディスプレイデバイス（１）により実現され、該ディスプレイデバイスは、
（ａ）第一の画像を形成する第一のピクセル群と第二の画像を形成する第二のピクセル群との間で分配したピクセルのアレイと、
（ｂ）スクリーンに平行でかつピクセルのアレイと観察者との間に設置される、可視光を少なくとも部分的に吸収する面素のアレイと
を含み、このスクリーンは、前記面素がその少なくとも一つの面に光起電力セルを有していること、および、これらの面素が、前記第一の画像および前記第二の画像の出射角αを制限するように構成され、ならびに、所与の観察距離について前記スクリーンのユーザーの右目が前記第一の画像しか見ず、その左目が前記第二の画像しか見ないように配置されていることによって、こうして前記ピクセルのアレイが表示する画像（一つまたは複数）の浮出しつまり三次元ビューに有利に作用するようになっていることを特徴とする。
【０００８】
好ましくは、光起電力セルを具備した面素は、ピクセルによって表わされる画像の出射角αを数度〜３０°の値に限定するように位置づけされ、さらに好ましい値は１５°未満である。
【０００９】
スクリーンは、ピクセルアレイの背後に設置された光源を用いて背面照明されるピクセルアレイにより背面照明され得、および／または、ピクセルは、（例えば電子発光ピクセルの場合）光を能動的に発出することができる。
【００１０】
場合によっては不透明である前記面素は、ほぼ、平行六面体、円形、楕円形および／または少なくとも三つの辺を有する多角形の断面を有する薄板の形状を呈することができる。面素は有利には、それらの長さｘがスクリーンに平行であり、それらの幅ｙがスクリーンを横切る、つまり横断する方向に、かつ好ましくはスクリーンに垂直な方向に延在するように配置されている。面素は、一つの平行なアレイを形成でき、前記面素の長さｘは、このとき平行である。
【００１１】
前記光起電力セルは、面素の幅ｘと長さｚによって形成される面内で延在する前記面素の表面に配置され得る。有利には、これは非晶質シリコンまたは微結晶シリコンベースの薄層光起電力セルであるが、これはこのタイプのセルが、低強度の光（散乱光、室内光）の変換に特に適しているからである。ただし、これらの光起電力セルを、他のあらゆる適合した技術で、例えばＣｄＴｅまたはＣＩＧＳ（銅−インジウム−ガリウム−セレン）ベースまたはポリマーベースで実現することも可能である。
【００１２】
本発明に係るスクリーンにおいては、前記面素は有利には、デバイスの予想される用途と合致する所与の観察距離について、前記スクリーンのユーザー（観察者）の右目が第一のピクセル群しか見ず、その左目が第二のピクセル群しか見ないように配置され、前記第一の群と前記第二の群は異なるものであり、各々のピクセル群は異なる画像を表示できることによって、こうして前記ピクセルアレイにより表示される画像（一つまたは複数）の浮出しつまり三次元ビュー（あるいは、より厳密には知覚）に有利に作用するようになる。この場合、観察者のいずれか一方の目が見ていないピクセルは、面素によって隠されている。立体三次元効果が観察可能であるこの観察距離は、デバイスの予想される用途によって左右される。一例を挙げると、携帯デバイス（携帯電話、小型テレビスクリーン）向けのスクリーンについては、この距離は典型的におよそ２０〜６０ｃｍであり、ポータブルコンピュータのスクリーンの場合には典型的におよそ３０〜８０ｃｍ、広間用大型テレビスクリーンの場合にはおよそ２〜５メートルである。
【００１３】
図１〜４は、本発明のいくつかの実施形態を概略的に示しているが、本発明を限定するものではない。図示されている全ての実施形態および／または全ての変形形態を互いに組合わせることができるということが了解される。これらの図には、ディスプレイスクリーンの作動に一般的に不可欠であるが当業者には周知である一部の構成要素、特に液晶スクリーンにおいて画像を生成するために必要である電界効果トランジスタ層は示されていない。
【図面の簡単な説明】
【００１４】
【図１】本発明の第一の実施形態を概略的に示す図である。
【図２】本発明の第二の実施形態を概略的に示す図である。
【図３】別の直立薄板式のタイプの実施形態を斜視図で概略的に示す図である。
【図４】本発明の変形形態を概略的に示す図である。
【発明を実施するための形態】
【００１５】
図１は、ここでは「平坦薄板（ｌａｍｅｌｌｅｓ  ａ  ｐｌａｔ）」式実施形態と呼ぶ、本発明の第一の実施形態を概略的に示している。図１は、本発明に係るディスプレイスクリーンを横断する横断面図を表わしている。本発明に係るディスプレイスクリーン１は、平坦な光源２により背面照明されるピクセル４のアレイ３と、可視光を少なくとも部分的に吸収し不透明であり得る面素６のアレイ５とを有する。前記面素６のアレイ５は、スクリーン１の面に平行に配置され、ピクセル４のアレイ３と観察者８との間に設置されている。前記面素６は、ピクセル４により表わされる画像の出射角αを制限するように位置づけされ、この角度αは、スクリーンの垂線との関係において定義されている。図１の右上の挿入部分に示されているとおり、各々の面素６（または面素６の少なくとも一部分）は、その少なくとも一つの面に少なくとも一つの光起電力セル７を有する。図１の例において、これは、背面照明されたピクセル４のアレイ３が照明する面である。この実施形態の第一の変形形態において、光起電力セル７は、前記面素６の反対側の面つまり観察者８の方に向けられた前方面に位置する。この実施形態の第二の変形形態においては、前記面素６の少なくとも二つの面、例えばピクセル４のアレイ３により照明される後方面と観察者８の方に向けられた前方面、および／またはその側面の一つまたは二つに光起電力セル７が存在する。平坦な光源２は、散乱プレートであり得る。これらの実施形態の一変形形態において、ピクセル４のアレイ３は、光源２によって背面照明されず、各ピクセル４はそれ自体、例えば電子発光による光源を構成する。
【００１６】
図１の例では、面素６は、薄板であり、これらの薄板は、それらがスクリーン１の面に平行に形成する、アレイ５の面において平坦に位置づけされている。より厳密には、一般的に長い方向（長さとも呼ばれる）ｘ、幅ｙおよび厚みｚにより定義される薄板６は、それらの幅ｙがアレイ５の面に平行となるように配置されている。一般に、前記面素６、１６は、光起電力セル７を備えていてよく、あるいは光起電力セルを構成していてもよい（この実施形態は図面に示されていない）。
【００１７】
図２は、（ここでは「直立薄板（ｌａｍｅｌｌｅｓ  ｄｅｂｏｕｔ）」式実施形態と呼ばれる）本発明の第二の実施形態を概略的に示しており、この実施形態は、面素１６が、その長さｘがスクリーン１の面に平行になり、その幅ｙがスクリーン１の面を横断する方向そして好ましくはスクリーン１に垂直な方向に延在するように配置された薄板であるという点において、第一の実施形態とは異なっている。図２の右上の挿入部分に示されているように、各々の面素１６は、その少なくとも一つの面、より厳密には、それらの幅と長さによって形成される面内に延在する面の少なくとも一つの面、そして好ましくは同時にこのように画定された二つの面に、少なくとも一つの光起電力セル７を有する。
【００１８】
図３は、「直立薄板」タイプの別の実施形態を概略的に（斜視図で）示しており、ここでは、面素２６の断面は台形である。一般に、「直立薄板」タイプの実施形態においては、光電池のために利用可能な表面が、「平坦薄板」タイプの実施形態の場合に比べて大きく、立体三次元効果は、通常、より強い。すなわち角度αはより小さいものとなる。
【００１９】
本発明に係るスクリーン１では、好ましくは薄板状であり、さらに好ましくは「直立薄板」式実施形態を利用した場合には、面素６、１６、２６のアレイ５は、公知のタイプ（例えば欧州特許第０，５６３，２４１Ｂ１号明細書（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ）、国際公開第２００７／１０６２８５号（３Ｍ  Ｉｎｎｏｖａｔｉｖｅ  Ｐｒｏｐｅｒｔｉｅｓ  Ｃｏｍｐａｎｙ）および米国特許出願公開第２００８／００８８９０５号明細書（ＮＥＣ  ＬＣＤ  Ｔｅｃｈｎｏｌｏｇｉｅｓ，Ｌｔｄ）中に記載のタイプ）の覗き見防止フィルター（英語では「ｐｒｉｖａｃｙ  ｓｃｒｅｅｎ」）と同じ効果を有することができる。
【００２０】
このことはすなわち、スクリーンに対し垂直な軸との関係においてずれた状態に位置した観察者８にはもはやピクセルが見えず、これらのピクセルが面素６、１６、２６によって完全に隠されているような値に角度αを固定することができるということを意味する。角度αは、デバイスの精確な幾何形状、特に面素６、１６、２６のアレイ５とピクセル４のアレイ３との間の距離、面素６、１６、２６の形状および配向、ならびに二つの面素６、１６、２６間の距離によって左右される。
【００２１】
本発明に係るスクリーン１の特に有利な利用は、ピクセル４のアレイ３によって生成される画像のほぼ三次元（または少なくとも浮出し）のビュー（またはより厳密には知覚）にある。実際、スクリーン１から所与の距離のところで、スクリーン１の前に位置する観察者８がその左目１０でピクセル４ａの第一の部分Ｐ１、したがって第一の画像を形成する部分しか見ず、その右目９で、第二の画像に対応するピクセルの第一の部分Ｐ１とは少なくとも部分的に異なるピクセル４ｂの第二の部分Ｐ２しか見ないように、前記面素を位置づけすることができる。したがって、ピクセルの各部分（または群）Ｐ１、Ｐ２は、観察者８による浮出しの知覚に有利に作用するように、異なる画像を表わすことができる。
【００２２】
したがって、本発明に係るスクリーン１は、多数のスクリーンタイプおよび、ポータブル電子デバイスの多数の使用状況に適する可能性がある。
【００２３】
一般的に、面素６、１６、２６は、きわめて多様な形態を有することができる。一例を挙げると、これらの面素は平行六面体（図１および図２のように）であり得るが、その断面は、円形、楕円形および／または少なくとも３つの辺を有する多角形（図３のように）でもあり得、あるいは、他の形状をとることもできる。図４に概略的に示されているように、ピクセル４の幅、ピクセル４のアレイ３と面素６のアレイ５との間の距離ｋ、および面素６の幅ｙを適応させて選択することにより、必要に応じて角度αを変動させることができる。
【００２４】
光起電力セル７は、公知の適切なあらゆる薄層技術を用いることができる。特に、「直立薄板」式の実施形態においては、セルが散乱光を主として捕捉することを理由として、低い明るさで優れた転換効率を有するセル（例えば非晶質シリコンまたは微結晶シリコンベースのセル）を利用することが好ましく、一方「薄層」式（ｌａｍｅｌｌｅｓ  ｃｏｕｃｈｅｅｓ）の実施形態ではセルは直接光を主として捕捉する。
【００２５】
一般に、ピクセル４は、全てが同一面内にある必要はなく、ほぼ平行な複数の面に配置されてよい。ピクセル４は、当業者にとって公知の技術により、カラーディスプレイのためセルに細分され得、例えば、各ピクセルを、赤色、緑色および青色の三つのセルに細分することができる。
【００２６】
本発明に係るスクリーン１は、その特性を改善するかまたはこれらの特性を特定の或る使用状況に適応させる他の構成要素を備えることができる。一例を挙げると、このスクリーンは、面素６、１６、２６のアレイ５と観察者８との間に配置される反射防止プレートまたは反射防止層を備えることができる。このスクリーンは同様に、以下の要素のうちの一つまたは複数のものを備えることもできる。すなわち、カラーフィルター、偏光フィルター、散光器、保護層である。スクリーン１は同様にソフトスクリーンであってもよい。
【００２７】
全ての実施形態において、少なくとも一つの面に光起電力セル７を有する面素６、１６のアレイ５は、硬質または軟質の、連続または不連続のものであり得る少なくとも一つの保護層（図示せず）によって保護されてよい。例えば、これは、好ましくは前記アレイ５上に被着され、その外部表面に反射防止表面を備えたポリマーフィルム、および／または少なくとも光起電力セル７の外部表面に被着された薄層であり得る。
【００２８】
本発明の図示されていない特定の一実施形態においては、面素６、１６、２６のアレイ５は、先に記述したとおりの立体三次元効果デジタルディスプレイスクリーン１を形成するために、デジタルディスプレイスクリーン上に貼付けることのできるアセンブリを形成する。より詳細には、このアセンブリは、典型的にはポリマー材料製である好ましくは軟質または半硬質の透明なフィルムで構成されてよく、このフィルム上に、少なくとも一つの面に光起電力セル７を有する面素６、１６の前記アレイ５が被着されており、場合によっては上述のとおり例えば表面被着物（薄層）または軟質フィルムなどの保護層によって保護されている。ここで我々が「立体三次元効果光起電力フィルム」と呼んでいるこのアセンブリは、デジタルディスプレイスクリーンの外部表面に、例えば接着によって、貼付け固定され得る。この外部表面は好ましくは平滑である。この外部表面は平坦または湾曲、硬質または軟質であってよい。この立体三次元光起電力フィルムは同様に、光起電力セルを互いに接続し電流を収集するのに必要な、典型的には薄層状の電極（図面には示さず）も備えている。
【００２９】
本発明に係る光起電力フィルムを使用する立体三次元効果デジタルディスプレイスクリーン１の製造方法には、平滑な外部表面を有するデジタルディスプレイスクリーンを準備し、本発明に係る立体三次元効果光起電力フィルムを準備し、前記光起電力フィルムを前記デジタルディスプレイスクリーン上に、好ましくは接着によって、貼付け固定して、立体三次元効果デジタルディスプレイスクリーン１を形成するステップが含まれる。スクリーンの外部表面にフィルムを貼付けた後、三次元光起電力フィルムの電極とスクリーンの電源要素との間に電気接続を確立することにより、光起電力セル７により生成された電気エネルギーが、前記スクリーンが中に一体化されているポータブル式または固定式の電子機器への給電に寄与できるようにする。この給電は、直接的または間接的に（充電式電池またはコンデンサなどの電気エネルギーの蓄積手段に充電することによって）行なうことができる。
【００３０】
本発明に係る立体三次元効果デジタルディスプレイスクリーン１は、固定式またはポータブル式の電子機器の中に内蔵可能である。この機器は本発明の別の目的を構成する。
【符号の説明】
【００３１】
１    ディスプレイスクリーン
２    光源
３    ピクセルのアレイ
４    ピクセル
５    面素のアレイ
６、１６、２６    面素
７    光起電力セル
８    観察者
９    右目
１０  左目
【先行技術文献】
【特許文献】
【００３２】
【特許文献１】米国特許出願公開第２００７／０１０２０３５号明細書
【特許文献２】米国特許第７，６９７，１０５号明細書
【特許文献３】欧州特許第０，５６３，２４１Ｂ１号明細書
【特許文献４】国際公開第２００７／１０６２８５号
【特許文献５】米国特許出願公開第２００８／００８８９０５号明細書
【図１】
2014509404.tif 000003
【図２】
2014509404.tif 000004
【図３】
2014509404.tif 000005
【図４】
2014509404.tif 000006
【国際調査報告】
2014509404.tif 000007
2014509404.tif 000008
2014509404.tif 000009
2014509404.tif 000010
2014509404.tif 000011
2014509404.tif 000012